(57)【要約】【課題】アベレージゴルファーや女性ゴルファーにとって、ダフリにくいヘッドを有するアイアンゴルフクラブを含んだセットを提供する。【解決手段】少なくとも１本は、ソール面（４）のリーディングエッジ（２）のサイドにスクープソール（４Ａ）、トレーディングエッジ（５）のサイドにバウンスソール（４Ｂ）を構成し、リーディングエッジ（２）周りのくさび角（α）が鋭角になるように工夫したヘッド（１）を有するゴルフクラブを含む複数本のゴルフクラブから成るものである。【選択図】図２
2008272009.tif 000002
【特許請求の範囲】
【請求項１】
少なくとも１本は、ソール面のリーディングエッジサイドにスクープソール、トレーディングエッジサイドにバウンスソールを構成し、リーディングエッジ周りのくさび角が鋭角になるように工夫したヘッドを有するゴルフクラブを含む複数本のゴルフクラブから成るアイアンゴルフクラブセット。
【請求項２】
少なくとも、もっともクラブ長さが長いゴルフクラブのソール面のリーディングエッジサイドにスクープソール、トレーディングエッジサイドにバウンスソールを構成し、リーディングエッジ周りのくさび角が鋭角になるように工夫したヘッドを有するゴルフクラブを含む複数本のゴルフクラブから成るアイアンゴルフクラブセット。
【請求項３】
もっともクラブ長さが長いゴルフクラブから５番アイアンまでは、ヘッドのソール面のリーディングエッジサイドにスクープソール、トレーディングエッジサイドにバウンスソールを構成し、リーディングエッジ周りのくさび角が鋭角になるように工夫したヘッドを有するゴルフクラブを含む複数本のゴルフクラブから成るアイアンゴルフクラブセット。
【請求項４】
もっともクラブ長さが長いゴルフクラブから６番アイアンまでは、ヘッドのソール面のリーディングエッジサイドにスクープソール、トレーディングエッジサイドにバウンスソールを構成し、リーディングエッジ周りのくさび角が鋭角になるように工夫したヘッドを有するゴルフクラブを含む複数本のゴルフクラブから成るアイアンゴルフクラブセット。
【請求項５】
もっともクラブ長さが長いゴルフクラブから７番アイアンまでは、ヘッドのソール面のリーディングエッジサイドにスクープソール、トレーディングエッジサイドにバウンスソールを構成し、リーディングエッジ周りのくさび角が鋭角になるように工夫したヘッドを有するゴルフクラブを含む複数本のゴルフクラブから成るアイアンゴルフクラブセット。
【請求項６】
前記スクープソールとバウンスソールとの間に窪みがあることを特徴とする請求項１ないし５のいずれか１項に記載のアイアンゴルフクラブセット。
【発明の詳細な説明】
【技術分野】
【０００１】
本発明は、アイアンゴルフクラブを複数本セットにしたものであり、特に非力なアベレージゴルファーや女性ゴルファー向けにダフリ対策として開発されたアイアンゴルフクラブセットに関する。
【背景技術】
【０００２】
アイアンゴルフクラブのヘッドの機能には、飛びや方向性、打感など、クラブとしての主要な機能が盛り込まれていることが知られているが、それらの機能を発揮するために不可欠な支援機能がある。たとえば、その一つにソールのダフリ防止の機能があり、ヘッドの飛びや方向性機能のサポートとして重要である。そのダフリ防止の設計因子は、バウンス角度やソール幅、ソール曲率として設計される。
【０００３】
ゴルフクラブセットにおけるこれらの設計は、ロングアイアンでは、バウンス角度が小さく、ソール幅が狭く、ショートアイアンでは、バウンス角度が大きく、ソール幅が広く設計される。すなわち、ロングアイアンでは、ソールが剃刀の如く芝の中に鋭く入るように、ショートアイアンでは、芝の中に深く入り込まないように設計されてきた。
【０００４】
その理由は、図６、７に見られるように、ゴルファーのスイングアークとアイアンゴルフクラブのヘッド１のリーディングエッジ２近傍のフェース面３とソール面４の成すくさび状の角度αに対する対策である。すなわち、図６のショートアイアンの場合には、クラブ長さが短いために、スイングアークが小さく、そのため、ヘッド１はボールＡに対して鋭角的に進入する。その鋭角的進入に加えてヘッド１のリーディングエッジ２周りのくさび角αが鋭角であるために、ボールＡに対してクリーンにインパクトしたヘッド１は、芝の中に深く入り込み、ゴルファーは芝から大きな抵抗を受ける。それを防ぐためにショートアイアンには大きなバウンスをつけ、芝の中に深く入り込まないような設計が一般的になされている。
【０００５】
ロフト角度の大きなショートアイアンで、ソール面に大きなバウンス角度、小さなソール半径または広いソール幅が設けられていても、トップ打ちのミスが起こりにくくしたものが開発された。これは、正規のロフト角度でソール面を接地させたヘッド本体のフェース面のリーディングエッジが、地上に置かれたボールとの幾何学的接触点またはその下方に設定され、リーディングエッジに連成して後方下部に設けられたフィレット部の先端とソール面との間が下方に凹となる曲面に形成されたものである（特許文献１参照）。
【０００６】
一方、ロングアイアンの場合には、クラブ長さが長いために、図７に示すように、スイングアークが大きく、ヘッド１はボールＡに対して水平に近く進入する。さらに、ヘッド１のリーディングエッジ２周りのくさび角αが鈍角であるために、ボールＡに対してクリーンにインパクトしたヘッド１は、芝の中に深く入り込むことなく芝を抜け出すことが出来るように設計されている。
【特許文献１】特開２０００−２２９１３７号公報（第３頁、図１）
【発明の開示】
【発明が解決しようとする課題】
【０００７】
クリーンにインパクトできることを前提に作られてきたヘッドを有するアイアンゴルフクラブのセットでは、すべてのゴルファーがその恩恵に浴するという訳にはゆかない。７番アイアンに代表されるように、短いクラブでは、初心者であっても、練習すればボールをクリーンにインパクトすることは可能である。しかしながら、多くのアベレージゴルファーに共通するロングアイアンの難しさは、ロングアイアン不要論が叫ばれるほどに、いつでもロングアイアンをクリーンにインパクトすることなど考えられない多くのゴルファーが存在する。多くのゴルファーはダフリ、トップ、スライス、フックなど、ありとあらゆる望まない不安と結果に成す術も無く翻弄されている。
【０００８】
上述のように、ロングアイアンのクリーンなインパクトは、大きなスイングアークと大きなくさび角によって、芝の中に深く入り込むことなく芝を抜け出すことが出来る。しかしながら、クリーンなインパクトが期待できないアベレージゴルファーや非力な女性ゴルファーの場合には、ダフリ状態で進入してきたヘッドは、図８のようにソール４が芝に跳ね返されてヘッド１が浮き、ヘッド１のリーディングエッジ２がボールＡの腹を叩く、いわゆるトップ打ちになる。このトップ打ちを防ぐには、芝に跳ね返されることなく、芝の中に潜り込む工夫が必要である。
【０００９】
そこで、本発明は、ソール面のリーディングエッジサイドにスクープソール、トレーディングエッジサイドにバウンスソールを構成し、リーディングエッジ周りのくさび角が鋭角になるように工夫してダフリ対策を施したヘッド、特にロフト角度３０°以下のヘッドを有するアイアンゴルフクラブのセットを提供することを目的とする。
【課題を解決するための手段】
【００１０】
上述の目的を達成するため、本発明は、少なくとも、もっともクラブ長さが長いゴルフクラブのソール面のリーディングエッジサイドにスクープソール、トレーディングエッジサイドにバウンスソールを構成し、リーディングエッジ周りのくさび角が鋭角になるように工夫したヘッドを有するゴルフクラブを含む複数本のゴルフクラブから成るものである。
【発明の効果】
【００１１】
本発明によれば、少なくとも、もっともクラブ長さが長いゴルフクラブのソール面のリーディングエッジサイドにスクープソール、トレーディングエッジサイドにバウンスソールを構成し、リーディングエッジ周りのくさび角が鋭角になるように工夫したヘッドを有するゴルフクラブを含む複数本のゴルフクラブから成るものなので、ダフリが生じたとしても、鋭いスクープ角によって、ヘッドが芝に深く入り込み、その後バウンスソールの効果によって、ヘッドが芝から抜けることができる。本発明において、インパクト時にソールのトレーディングエッジがやや浮いているのは、アイアンのインパクトでは、ハンドファーストによって、一般にロフト角が１番手（４度）程度、少な目になる傾向があり、それを表現しているためで、これを実効ロフトあるいはダイナミックロフトと呼ぶ。また、バウンスソールとは、ソール形状のリーディングエッジよりもトレーリングエッジの方が膨らんだ形状で、スクープソールとは、逆にリーディングエッジよりもトレーリングエッジが上がっているソールである。
【発明を実施するための最良の形態】
【００１２】
本発明の第一の実施形態は、図１及び図２に示すように、ロングアイアン、ミドルアイアン、ショートアイアンから構成されたアイアンゴルフクラブセットに関し、少なくとも最もクラブ長さの長いゴルフクラブのソール形状に、ソール面４のリーディングエッジ２のサイドにスクープソール４Ａ、トレーディングエッジサイドにバウンスソール４Ｂを構成し、リーディングエッジ２周りのくさび角αを鋭角になるように工夫したヘッドを有するゴルフクラブを含むセットである。くさび角αはロングアイアンで４５°を上限とした。また、スクープソール４Ａとバランスソール４Ｂとの間には、窪み４Ｃを構成してある。
【００１３】
第二の実施形態としては、もっともクラブ長さが長いゴルフクラブから５番アイアンまでは、ヘッド１のソール面４のリーディングエッジ２のサイドにスクープソール４Ａ、トレーディングエッジ５のサイドにバウンスソール４Ｂを構成し、スクープソール４Ａとバランスソール４Ｂとの間に窪み４Ｃを構成し、リーディングエッジ２周りのくさび角αが鋭角になるように工夫したものがある。
【００１４】
第三の実施形態としては、もっともクラブ長さが長いゴルフクラブから６番アイアンまでは、ヘッド１のソール面４のリーディングエッジ２のサイドにスクープソール４Ａ、トレーディングエッジ５のサイドにバウンスソール４Ｂを構成し、スクープソール４Ａとバウンスソール４Ｂとの間に窪み４Ｃを構成し、リーディングエッジ２周りのくさび角αが鋭角になるように工夫したものがある。
【００１５】
第四の実施形態としては、もっともクラブ長さが長いゴルフクラブから７番アイアンまでは、ヘッド１のソール面４のリーディングエッジ２のサイドにスクープソール４Ａ、トレーディングエッジ５のサイドにバウンスソール４Ｂを構成し、リーディングエッジ２周りのくさび角αが鋭角になるように工夫したものがある。
【００１６】
いずれの実施形態でも、図１、２に示すようなスクープソール４Ａ、バウンスソール４Ｂ、窪み４Ｃからソール面４を構成したヘッド１のロフト角度は、３０°以下のミドルアイアン、ロングアイアンでダフリ防止に有効である。
【００１７】
本発明におけるくさび角αは、１０°〜４５°の鋭角となる。このくさび角αは、上述したように、ヘッド１のリーディングエッジ２近傍のフェース面３とスクープソール４Ａとが成すくさび状の角度である。さらに詳しく説明すると、図３のフェースライン長さＬの１／２の箇所を縦に切ったとき、図４に示すようにスクープソール４Ａ、バウンスソール４Ｂ、窪み４Ｃが現われ、スクープソール４Ａが外側に若干ふくらんだ曲面形状を有し、この円弧の両端を結んだ直線とフェース面３の延長線とがなす角度をはさみ角αとしている。また、この直線とソール面４の接地面とがなす角をＳ角とすると、＜９０°−ロフト角−Ｓ角（２°〜４０°）＞がくさび角αとなる。一般的なアイアンヘッドのくさび角は、＜９０°−ロフト角＋Ｓ角（−２°〜−４°）＞であり、Ｓ角は−２°〜−４°となっている。
【００１８】
なお、一般的なアマチュアゴルファーのアイアンゴルフクラブの各番手毎のロフト角度は、＃３が２０°前後、＃４が２２°前後、＃５が２４°前後、＃６が２７°前後、＃７が３０°前後となっている。したがって、ロフト角度３０°以下ということは、＃７（７番アイアン）よりも長いクラブである。
【００１９】
また、＃４からのセットの場合、＃４のみのくさび角αを鋭角とし、＃３からのセットであれば、＃３のみのくさび角αを鋭角にするのが、上述した第１の実施形態であり、＃４〜＃５まで、あるいは＃３からのセットでは＃３〜＃５までのくさび角αを鋭角とした第２の実施形態である。より具体的には、次のような組合せがある。この表中○印の番手のくさび角αを鋭角とした。×印はセット内にないクラブ番手、−印はくさび角αが鋭角ではないクラブ。
【００２０】
【表１】
2008272009.tif 000003
【図面の簡単な説明】
【００２１】
【図１】本発明の実施形態を示すヘッド側面図。
【図２】図１のヘッドのスイング時の側面図。
【図３】ヘッドのフェース面を正面とした図
【図４】図３のＡ−Ａ線断面図
【図５】図４のソール面拡大図
【図６】従来のショートアイアンのスイング時のヘッドとボールの側面図。
【図７】従来のロングアイアンの図３と同様の側面図。
【図８】ロングアイアンのダフリとトップを説明する図。
【符号の説明】
【００２２】
１    ヘッド
２    リーディングエッジ
３  フェース面
４  ソール面
４Ａ    スクープソール
４Ｂ    バウンスソール
４Ｃ    窪み
５    トレーディングエッジ
α    くさび角
【図１】
2008272009.tif 000004
【図２】
2008272009.tif 000005
【図３】
2008272009.tif 000006
【図４】
2008272009.tif 000007
【図５】
2008272009.tif 000008
【図６】
2008272009.tif 000009
【図７】
2008272009.tif 000010
【図８】
2008272009.tif 000011